(57)【要約】【課題】  意匠性にすぐれ、通路や隣接住宅の動線と重ならない出入口を持った風除室を有する仮設住宅を提供する。【解決手段】仮設住宅は、居住空間を有する建物本体と、当該建物本体の外壁に設けられる内側出入口と、前記内側出入口の屋外側に設けられる風除室と、を備えた仮設住宅であって、前記風除室は、前記外壁に間隔を開けて平行な正面部と、前記正面部の両端と前記外壁との間に設けられ前記外壁に直交する２つの側面部と、前記正面部、前記側面部、及び前記外壁により形成される空間の上部を覆う上面部とを有し、前記２つの側面部のうち一方の側面部は、屋外から前記風除室に出入りする外側出入口を具備する側面部であり、前記正面部は、互いに間隔を開けた複数の長手材からなる格子体と、当該格子体の屋内側に設けられる光透過樹脂とを有する。【選択図】図４
2017053189.tif 000002
【特許請求の範囲】
【請求項１】
居住空間を有する建物本体と、
当該建物本体の外壁に設けられる内側出入口と、
前記内側出入口の屋外側に設けられる風除室と、を備えた仮設住宅であって、
前記風除室は、前記外壁に間隔を開けて平行な正面部と、前記正面部の両端と前記外壁との間に設けられ前記外壁に直交する２つの側面部と、前記正面部、前記側面部、及び前記外壁により形成される空間の上部を覆う上面部とを有し、
前記２つの側面部のうち一方の側面部は、屋外から前記風除室に出入りする外側出入口を具備する側面部であり、
前記正面部は、互いに間隔を開けた複数の長手材からなる格子体と、当該格子体の屋内側に設けられる光透過樹脂とを有することを特徴とする仮設住宅。
【請求項２】
前記建物本体は少なくとも前記風除室側に軒を有する平屋建てであり、当該軒は軒の出が１ｍ以上であり、前記上面部は当該軒により形成されることを特徴とする請求項１に記載の仮設住宅。
【請求項３】
前記居住空間は、床下地部及び天井部に、平面視十字となるように架設された梁を有することを特徴とする請求項１又は請求項２に記載の仮設住宅。
【請求項４】
前記建物本体は、界壁により隔てられた２以上の前記居住空間を有するとともに、当該界壁は少なくともその一部が取り外し可能に形成されることを特徴とする請求項３に記載の仮設住宅。
【発明の詳細な説明】
【技術分野】
【０００１】
本発明は、仮設住宅に関し、特に玄関の出入口の屋外側に風除室が設けられる仮設住宅の構造に関する。
【背景技術】
【０００２】
風雨、風雪、冷気などの吹き込みによる屋内環境の乱れを緩和するために、例えば戸建て住宅においても玄関出入口の屋外側に風除室を設ける例がある（特許文献１参照）。
【０００３】
また、特に仮設住宅のように簡易的で間取りにあまり余裕がない住宅においては、玄関ホール等を設ける余裕は無く、出入口と生活空間との間に間仕切壁がない場合も多いので、玄関の出入口の屋外側に風除室を設けている例が知られている（非特許文献１）。
【先行技術文献】
【特許文献】
【０００４】
【特許文献１】特開平１１−３５０５８８号公報
【非特許文献】
【０００５】
【非特許文献１】社団法人日本ツーバイフォー建築協会、「東日本大震災仮設住宅建設の記録」、[ｏｎｌｉｎｅ]、２０１１年９月５日、右側上から２，３，４番目の写真、http://www.2x4assoc.or.jp/news/201109/03.html、
【発明の概要】
【発明が解決しようとする課題】
【０００６】
ところで、上述のような仮設住宅の風除室は、建物とデザイン的に一体となっていないので、仮設住宅全体の意匠性を低くする要因となっていた。
【０００７】
また、仮設住宅の風除室は、いずれも玄関出入口の正面側に風除室から屋外に出入りする出入口を設けている。仮設住宅は限られた土地に多数の住宅を設置する必要があるので、玄関出入口の正面には通路を挟んで向かい合う住宅の出入口が設けられている場合が多い。そして、玄関出入口の正面側に風除室から屋外に出入りする出入口を設けると、通路を通行する人や向かいの住宅の出入口との動線が重なる問題があった。
【０００８】
そこで本発明は、意匠性にすぐれ、通路や隣接住宅の動線と重ならない出入口を持った風除室を有する仮設住宅を提供することを目的とする。
【課題を解決するための手段】
【０００９】
本発明の仮設住宅は、居住空間を有する建物本体と、当該建物本体の外壁に設けられる内側出入口と、前記内側出入口の屋外側に設けられる風除室と、を備えた仮設住宅であって、前記風除室は、前記外壁に間隔を開けて平行な正面部と、前記正面部の両端と前記外壁との間に設けられ前記外壁に直交する２つの側面部と、前記正面部、前記側面部、及び前記外壁により形成される空間の上部を覆う上面部とを有し、前記２つの側面部のうち一方の側面部は、屋外から前記風除室に出入りする外側出入口を具備する側面部であり、前記正面部は、互いに間隔を開けた複数の長手材からなる格子体と、当該格子体の屋内側に設けられる光透過樹脂とを有することを特徴としている。
【００１０】
好ましくは、前記建物本体は少なくとも前記風除室側に軒を有する平屋建てであり、当該軒は軒の出が１ｍ以上であり、前記上面部は当該軒により形成されることを特徴としている。
【００１１】
好ましくは、前記居住空間は、床下地部及び天井部に、平面視十字となるように架設された梁を有することを特徴としている。
【００１２】
好ましくは、前記建物本体は、界壁により隔てられた２以上の前記居住空間を有するとともに、当該界壁は少なくともその一部が取り外し可能に形成されることを特徴としている。
【発明の効果】
【００１３】
本発明の仮設住宅によると、風除室は、正面部ではなく側面部に屋外から風除室に出入りする外側出入口を有しているので、向かい合う住宅との間の通路の通行人や当該向かい合う住宅の玄関から屋外に出てくる隣人の動線と重ならない位置に外側出入口が設けることができる。また、風除室の正面部は、互いに間隔を開けた複数の長手材からなる格子体と、当該格子体の屋内側に設けられる光透過樹脂とを有する構成であるので、仮設住宅の玄関の目隠しとして機能するとともに、光を取り入れることができ、しかも、屋外側は格子体によって意匠性を高めることができる。また、このように屋外側が格子体がで形成されることによって、季節によっては光透過樹脂を取り外して換気に優れた仮設住宅とすることもできる。
【００１４】
また、好ましい形態の仮設住宅によると、風除室の上面部が軒により形成されているので、風除室と建物本体とが一体的なデザインとなり、前述の格子体ともあいまって意匠性に優れた仮設住宅とすることができる。また、屋根から延びる軒をそのまま風除室の上面部とすることで、構造をシンプルにすることができ、風除室の防水性や気密性を高めることができ、別途上面部を設けるコストも減らすことができる。
【００１５】
また、別の好ましい形態の仮設住宅によると、居住空間は、床下地部及び天井部に、平面視十字となるように梁が架設されているので、必要に応じて簡単に間仕切壁を設けることができる。このように必要に応じて空間を間仕切ることで、様々な家族構成の世帯の入居に対応でき、また、時間経過による家族構成の変化にもフレキシブルに対応できる。
【００１６】
また、別の好ましい形態の仮設住宅によると、建物本体は、界壁により隔てられた２以上の居住空間を有し、当該界壁は少なくともその一部が取り外し可能に形成されているので、当初は複数戸の連棟長屋式の仮設住宅として活用し、その後、界壁の一部を取り外して１戸の住宅として活用することができる。
【図面の簡単な説明】
【００１７】
【図１】妻側から仮設住宅を見た側面図。
【図２】軒側から仮設住宅を見た正面図。
【図３】仮設住宅の小屋組みを省略した構造躯体を示す斜視図。
【図４】屋内側の天井梁及び床梁の配置を示す省略平面図。
【図５】仮設住宅の標準の間取りの一例を示す図。
【図６】個室が必要な場合の仮設住宅の間取りの一例を示す図。
【図７】界壁の一部を取り外して、連棟長屋式の仮設住宅を１世帯のみが住まう住宅に変更した間取りの一例を示す図。
【発明を実施するための形態】
【００１８】
以下、本発明に係る仮設住宅１の最良の実施形態について、各図を参照しつつ説明する。仮設住宅１は、図１、図２、及び図４に示すように、木造平屋建の建物本体２と、風除室３とを有する。なお、本発明の仮設住宅１は木造に限定されるものではなく、例えば軽量鉄骨などの他の構造で形成された仮設住宅１であってもよい。建物本体２は界壁４で隔てられた２つの居住空間５を有するいわゆる連棟長屋式の住宅である。建物本体２の屋根６は切妻造であり、両側の軒の出がそれぞれ１３００ｍｍとなっている。なお本発明の屋根６の軒の出は、少なくとも１０００ｍｍ以上が好ましく、風除室３の上部を完全に覆うことができる長さ以上であることが好ましい。
【００１９】
なお、本発明の仮設住宅１は連棟長屋式に限定されるものではなく、１つの建物本体２に１世帯のみが居住する仮設住宅１であってもよい。また、建物本体２の屋根６は切妻造に限定されるものではなく、例えば寄棟造や片流れ、又は陸屋根であってもよく、少なくとも軒７が風除室３の上方に突出して設けられていることが好ましい。建物本体２のそれぞれの居住空間５には玄関となる内側出入口８が設けられている。内側出入口８は建物本体２の軒７側の外壁９に形成されている。内側出入口８には当該内側出入口８を開閉する引き戸が設けられている。
【００２０】
風除室３は、内側出入口８の屋外側にそれぞれ設けられている。風除室３は、外壁９に間隔を開けて平行に立設される正面部１０と、当該正面部１０の両端と外壁９とを繋ぐように間に設けられて外壁９に直交する２つの側面部１１と、を有するとともに、これら正面部１０、側面部１１ａ，１１ｂ、及び外壁９に囲まれた空間の上部を覆う上面部１２とを有している。上面部１２は、建物本体２の軒７により構成されている。風除室３の下部は、土間打ちのコンクリート面１３が外壁９に沿って形成されており、このコンクリート面１３の側面部１１ａ方向には、地面からコンクリート面１３に上がるための３段の階段を備えたアプローチ１４が設けられている。
【００２１】
風除室３の正面部１０、及びアプローチ１４が設けられた側と反対側の側面部１１ｂには、格子体１５が設けられている。格子体１５は、木製の角材を等間隔開けて並べた縦格子である。なお、格子体１５は木製に限定されるものではなく、金属や樹脂製であってもよい。また、格子体１５を構成する長手材の断面形状は、長方形などの四角形に限定されるものではない。格子体１５の屋内側には、当該格子体１５の全面に光透過樹脂パネル１６が固定されており、格子体１５の隙間から外気が侵入しないように形成されている。光透過樹脂パネル１６は、例えば、ポリカーボネート製のパネルである。好ましくは、空気層を挟んで両側に光透過性樹脂を有する一体成形されたパネルであり、空気層により断熱性・保温性を向上させることができる。なお、光透過樹脂パネル１６の材料や構造は上述のものに限定されるものではなく、少なくとも風除室３内に光を採り込むことができる光透過性を有する樹脂により形成されていればよい。
【００２２】
このように、風除室３の正面部１０及び一方の側面部１１ｂは、屋外側が格子体１５で形成され、当該格子体１５の屋内側に設けられる光透過樹脂パネル１６とを有する構成であるので、仮設住宅１の玄関の目隠しとして機能するとともに、光を取り入れることができる。屋外側が格子体１５で形成されることにより、伝統的な日本家屋のように落ち着いたデザインとすることができる。また、例えば、光透過樹脂パネル１６を取り外しても、格子体１５によって目隠し機能は維持することができるので、季節によっては光透過樹脂パネル１６を取り外して換気に優れた仮設住宅１とすることもできる。
【００２３】
風除室３のアプローチ１４が設けられた側の側面部１１ａは、外側出入口１７が設けられている。外側出入口１７には当該外側出入口１７を開閉する片開き戸が設けられている。風除室３の上面部１２を形成する軒７と側面部１１ａ，１１ｂの上端との間にはその隙間を閉じる合板パネルが固定されており、軒先には幕板が正面部１０の上端まで垂下して固定されており、風除室３の気密が保たれている。
【００２４】
このように上面部１２が軒７により形成されることで、風除室３と建物本体２とが一体的なデザインとなり、意匠性に優れた仮設住宅１とすることができる。また、屋根６から延びる軒７をそのまま風除室３の上面部１２とすることで、構造をシンプルにすることができ、風除室３の防水性や気密性を高めることができ、別途上面部１２を設けるコストも減らすことができる。
【００２５】
そして、風除室３は、正面部１０ではなく側面部１１ａに屋外から風除室３に出入りする外側出入口１７を有しており、この外側出入口１７の出入り方向に、３段の階段を備えたアプローチ１４を設けているので、仮設住宅１から居住者が出入りする際に、向かい合う住宅との間の通路の通行人や当該向かい合う住宅の玄関から屋外に出てくる隣人の動線と重ならない。
【００２６】
建物本体２は、図３に示すように、外周立ち上がりを有する基礎１８上に外周部床梁１９を固定しており、この外周部床梁１９の上に、例えば１ｍ間隔で外周柱２０を設けている。なお、掃き出し窓が設けられる位置などのように外周柱２０を１ｍ間隔で設けた場合に建具と干渉することとなる位置には、外周柱２０を隣接する外周柱２０から２ｍ離して設けている。外周柱２０の上には妻梁２１及び軒桁２２が架設されている。そして、これら外周部床梁１９、外周柱２０、妻梁２１、及び軒桁２２の屋外側に図示しない構造用合板や外壁パネルを固定するとともに、適宜窓やドアを設置して建物本体２の外壁９を完成させる。
【００２７】
建物本体２の屋内側には、妻方向の中央で桁方向に沿って等間隔に３本の通柱２３が設けられている。これら３本の通柱２３は柱頭で図示しない棟木を支持している。そして、３本の通柱２３のうち中央の通柱２３の柱脚部と、軒側の外周部床梁１９の長さ方向の中央部とには、界壁部の床梁２５ａが架設されている。また、中央の通柱２３と、軒桁２２の長さ方向の中央部とには、界壁部の天井梁２４ａが架設されている。これら界壁部の床梁２５ａと天井梁２４ａとの間には、複数の造作柱２７が立設されており、この造作柱２７及び中央の通柱２３の両側に合板を固定して、界壁４を形成しており、建物本体２はこの界壁４に隔てられた２つの居住空間５を有している。なお、造作柱２７同士の間や造作柱２７と通柱２３の間には断熱材２８が納められている。
【００２８】
界壁４により隔てられた２つの居住空間５は、図３及び図４に示すように、平面視した場合の中央に前述の３本の通柱２３のうち両側の通柱２３が立設されている。そして、この居住空間５の通柱２３の柱脚と、界壁４の通柱２３の柱脚、軒側の外周床梁１９、及び妻側の外周床梁１９との間に平面視した場合に十字となるように屋内側の床梁２５ｂが架設されている。また、居住空間５の通柱２３の天井の高さ位置と、界壁４の通柱２３、軒桁２２、及び妻梁２１との間には屋内側の天井梁２４ｂが平面視した場合に十字となるように架設されている。
【００２９】
なお、図示しないが、妻梁２１、及び天井梁２４ａ，２４ｂの上部には小屋束が設けられるとともに、通柱２３の柱頭に支持される棟木と軒桁２２との間には小屋束に支持される複数の垂木が斜めに架設されて小屋組みを形成しており、垂木に野地板や屋根材を固定して屋根６を形成している。
【００３０】
建物本体２の屋内側に設けられる柱は３本の通柱２３のみが構造耐力を負担する柱であり、その他に屋内側に設けられる柱は構造耐力を負担しない造作柱２７であり、間取りの変更などによって取り外すことができる柱である。
【００３１】
仮設住宅１の間取りは、標準プランのときには、図５に示すように、居住空間５の屋内側の床梁２５ｂ及び天井梁２４ｂで十字に区切った区画のうちの界壁４沿いの１区画に、例えば、風呂２９、及びトイレ３０を配置し、界壁４から離れた１区画に流し台３１を設置されている。この居住空間５は風呂２９、トイレ３０、及び一部の収納３２以外は間仕切られていない。
【００３２】
入居する世帯の家族構成や間取りの好みなどによって個室が必要な場合や、入居後に家族構成の変化によって個室が必要となった場合には、図６に示すように、居住空間５の屋内側の床梁２５ｂ及び天井梁２４ｂの間に間仕切壁３３を設置することによって個室を設置することができる。例えば居住空間５Ａは、ダイニングキッチンＤＫと、リビングＬとを隔てるように間仕切り壁を設置している。また、居住空間５Ｂは、リビングＬを２つの個室Ｒに分割している。このように床梁２５ｂと天井梁２４ｂとが平面視十字に設けられていることによって、これらの梁２４ｂ，２５ｂを利用して間仕切壁３３の下地となる造作柱２７等を設置することができ、簡単且つ必要な位置に間仕切壁３３を設置することができる。
【００３３】
そして、入居する世帯の人数が多く広い間取りが必要な場合や、復旧復興期に入ってより住みやすい広さと間取りが求められる時期となった場合には、図７に示すように、界壁４の一部を取り外して、３ＬＤＫ及び納戸Ｓを有する一般的な住宅並みの間取りとすることができる。界壁４は、当該界壁４を構成する合板を剥がして、造作柱２７及び断熱材２８を取り除くだけで取り外すことができ、２つの居住空間５を１つにすることができる。そして、それぞれの居住空間５に床梁２５ｂと天井梁２４ｂとが平面視十字に設けられているので、これらの梁２４ｂ，２５ｂを利用して簡単に間仕切壁３３を設置し、所望の個室Ｒを設けることができる。
【００３４】
なお、本発明の実施の形態は上述の形態に限ることなく、本発明の思想の範囲を逸脱しない範囲で適宜変更することができることは云うまでもない。
【産業上の利用可能性】
【００３５】
本発明に係る住宅は、例えば仮設住宅１の構造として、好適に用いることができる。
【符号の説明】
【００３６】
１      仮設住宅
２      建物本体
３      風除室
４      界壁
５      居住空間
７      軒
１０    正面部
１１ａ，１１ｂ    側面部
１２    上面部
１５    格子体
１６    光透過樹脂パネル
【図１】
2017053189.tif 000003
【図２】
2017053189.tif 000004
【図３】
2017053189.tif 000005
【図４】
2017053189.tif 000006
【図５】
2017053189.tif 000007
【図６】
2017053189.tif 000008
【図７】
2017053189.tif 000009